(57)【要約】【課題】分解性が向上されたガスセンサの提供。【解決手段】（１）金属製のケーシング２０と、ケーシング２０内に収められた素子部品３０と、を有するガスセンサであって、ケーシング２０が保護カバー２１とハウジング２２に分解可能とされ、保護カバー２１は管路５０に固定され、ハウジング２２は保護カバー２１に取外し可能に取付けられる、ガスセンサ１０。このガスセンサ１０では、分解時に保護カバー２１を管路５０に残したまま、ハウジング２２と素子部品３０を取り外すことができる。したがって、ガスセンサ１０を分解するときにケーシング２０を溶断する必要がない。（２）素子部品３０はハウジング２２に取外し可能に収められている。そのため、ハウジング２２を保護カバー２１から取り外した後、素子部品３０をケーシング２０から容易に取り外すことができる。したがって、金属製部品とセラミック製部品とを分別でき、リサイクル性が向上する。【選択図】　　　　図２
2004037129.tif 000002
【特許請求の範囲】
【請求項１】
金属製のケーシングと、
前記ケーシング内に収められた素子部品と、
を有するガスセンサであって、
前記ケーシングが保護カバーとハウジングに分解可能とされ、前記保護カバーは管路に固定され、前記ハウジングは前記保護カバーに取外し可能に取付けられる、
ガスセンサ。
【請求項２】
前記素子部品は前記ハウジングに取外し可能に収められている請求項１記載のガスセンサ。
【発明の詳細な説明】
【０００１】
【発明の属する技術分野】
本発明は、ガスセンサに関し、とくに、内燃機関の排気管、吸気管等に配設されるガスセンサに関する。
【０００２】
【従来の技術】
内燃機関の排気管、吸気管等に配設されるガスセンサとして、特開平１０−２８２０５０号公報に開示される酸素センサが知られている。このガスセンサは、一般にジルコニア等のセラミック材料からなる素子部と、この素子部を収めた、ＳＵＳ等の金属からなり排気管に螺合取付けされるハウジングと、からなり、ハウジングには排気管に突出される素子部を保護する保護カバーが溶着により取付けられていた。
【０００３】
【発明が解決しようとする課題】
近年の廃棄物のリサイクル性（再利用）向上の観点から、ガスセンサにおいても、セラミック材料と金属材とを分別回収できるように、分解性が高いことが望まれる。
しかし、上記公報記載のガスセンサは、素子部が金属からなるハウジング及びハウジングに溶着された保護カバーにより囲まれているため、回収時にハウジングを溶断する必要があり、分解性が悪いという問題があった。
本発明の目的は、分解性が向上されたガスセンサを提供することにある。
【０００４】
【課題を解決するための手段】
上記目的を達成する本発明はつぎの通りである。
（１）　金属製のケーシングと、
前記ケーシング内に収められた素子部品と、
を有するガスセンサであって、
前記ケーシングが保護カバーとハウジングに分解可能とされ、前記保護カバーは管路に固定され、前記ハウジングは前記保護カバーに取外し可能に取付けられる、ガスセンサ。
（２）　前記素子部品は前記ハウジングに取外し可能に収められている（１）記載のガスセンサ。
【０００５】
上記（１）のガスセンサでは、金属製のケーシングが保護カバーとハウジングに分解可能とされているので、分解時には保護カバーを管路に残したまま、ハウジングと素子部品を取り外すことができる。したがって、ガスセンサを分解するときにケーシングを溶断する必要がなく、ガスセンサの分解性が向上される。
上記（２）のガスセンサでは、素子部品がハウジングに取外し可能に収められているので、ハウジングを保護カバーから取り外した後、素子部品をケーシングから容易に取り外すことができる。したがって、金属製部品とセラミック製部品とを分別でき、リサイクル性が向上する。
【０００６】
【発明の実施の形態】
以下に、本発明実施例のガスセンサを図１〜図３を参照して、説明する。
本発明実施例のガスセンサ１０は、自動車搭載用のガスセンサである。ガスセンサ１０は、酸素センサ、空燃比センサ、ＮＯｘセンサ、Ｈ２センサ、ＣＯセンサ等のいずれであってもよい。ガスセンサ１０は、金属製（たとえば、ＳＵＳ製）の管路５０（排気系または吸気系の管路）に取り付けられる。管路５０は、ガスセンサ１０が排気ガスセンサの場合、内燃機関の排気管であってもよく、マフラー（消音器）であってもよい。
ガスセンサ１０は、積層型のガスセンサであってもよく、コップ型のガスセンサであってもよい（図示例では、ガスセンサ１０が積層型である場合を示している）。
ガスセンサ１０は、金属製（たとえば、ＳＵＳ製）のケーシング２０と、ケーシング２０内に収められた素子部品３０とを、有する。
【０００７】
ケーシング２０は、２分割可能とされており、たとえば、保護カバー２１とハウジング２２に分解可能とされている。
保護カバー２１は、管路への取付け部２１ａと、取付け部２１ａに固定された有底円筒状部２１ｂを有する。
有底円筒状部２１ｂは、１重構造であってもよく、２重構造であってもよい。有底円筒状部２１ｂは、管路５０内に突出している。この突出部には、管路５０内を流れるガスを突出部内に導入するガス導入孔２１ｃが設けられている。
保護カバー２１は、取付け部２１ａで管路５０に取外し不能に固定される。保護カバー２１は、管路５０に直接または間接的に固定されている。保護カバー２１の管路５０への取付けは、たとえば溶接による。溶接の場合は、シールが容易である。
保護カバー２１の取付け部２１ａの内周には、ネジ部２１ｄが設けられている。
【０００８】
ハウジング２２はほぼ円筒状であり、取付け部２１ａへの取付け側端部の外周に、ネジ部２２ａを有する。
ネジ部２２ａは、保護カバー２１のネジ部２１ｄと螺合する。ハウジング２２は、ネジ部２２ａを保護カバー２１のネジ部２１ｄに螺合させることで保護カバー２１に取り付けられ、ネジ部２２ａを保護カバー２１のネジ部２１ｄから外すことで保護カバー２１から取り外される。
ネジ部２２ａがハウジング２２の外周に設けられているので（ネジ部２２ａがハウジング２２の内周に設けられていないので）、素子部品３０をハウジング２２から取り外すとき、素子部品３０がネジ部２２ａにひっかかることなく素子部品３０をハウジング２２から取り外すことができる。
【０００９】
素子部品３０は、ケーシング２０の内側に配置される。素子部品３０は、ハウジング２２に取外し可能に収められる。素子部品３０は、ハウジング２２に嵌合する態様で配設される。
素子部品３０からリード線４１が出ており、リード線４１はハウジング２２から出て、その端部にコネクター４０が設けられている。素子部品３０は、リード線４１に直接つながれていてもよく、ピン４２を介してつながれていてもよい（図示例では、素子部品３０がピン４２を介してリード線４１につながれている場合を示している）。
【００１０】
ガスセンサ１０の分解方法を説明する。
まず、ハウジング２２を保護カバー２１に対してまわしハウジング２２をネジ部で保護カバー２１から外す（図２参照）。保護カバー２１は、管路５０に固定されたままであり、管路５０と共に処理される。
ついで、コネクター４０のリード線４１を切断し、ハウジング２２から素子部品３０を外す（図３参照）。金属製のハウジング２２は金属製部品と共に処理される。コネクター４０とリード線４１は、それ専用の処理工程でリード線４１（銅）と被覆（樹脂）とに分離され、回収される。セラミック部品は、貴金属等があるときは溶融して回収され、それ以外のセラミック部品は回収され処理（埋め立て）される。
【００１１】
つぎに、本発明実施例の作用を説明する。
ケーシング２０が保護カバー２１とハウジング２２に分解可能とされ、保護カバー２１は管路５０に固定され、ハウジング２２は保護カバー２１にネジ部２１ｄ、２２ａにより取外し可能に取付けられるので、ガスセンサ１０を分解するときにケーシング２０を溶断する必要がない。そのため、ガスセンサ１０の分解性が従来に比べて向上される。したがって、車両廃棄時、ガスセンサ１０の分解が容易であり、ガスセンサ１０のリサイクル性が向上される。
素子部品３０はハウジング２２に取外し可能に収められているので、保護カバー２１とハウジング２２を分解した後、素子部品３０をハウジング２２から容易に分解することができる。
【００１２】
【発明の効果】
請求項１記載のガスセンサによれば、金属製のケーシングが保護カバーとハウジングに分解可能とされているので、分解時には保護カバーを管路に残したまま、ハウジングと素子部品を取り外すことができる。したがって、ガスセンサを分解するときにケーシングを溶断する必要がなく、ガスセンサの分解性が向上される。
請求項２記載のガスセンサによれば、素子部品がハウジングに取外し可能に収められているので、ハウジングを保護カバーから取り外した後、素子部品をケーシングから容易に取り外すことができる。したがって、金属製部品とセラミック製部品とを分別でき、リサイクル性が向上する。
【図面の簡単な説明】
【図１】本発明実施例のガスセンサの、ハウジングが保護カバーに取付けられているときの断面図である。
【図２】本発明実施例のガスセンサの、ハウジングを保護カバーから外したときの断面図である。
【図３】本発明実施例のガスセンサの、ハウジングから素子部品を外すときの断面図である。
【符号の説明】
１０　ガスセンサ
２０　ケーシング
２１　保護カバー
２１ｄ　保護カバーのネジ部
２２　ハウジング
２２ａ　ハウジングのネジ部
３０　素子部品
４０　コネクター
４１　リード線
５０　配管
【図１】
2004037129.tif 000003
【図２】
2004037129.tif 000004
【図３】
2004037129.tif 000005